(57)【要約】【課題】１つのパルス発生装置からのパルス信号を複数の対象で使用することに夜誤動作の問題を解消しつつ複数の機器についてパルス発生装置の兼用化を図ることでコストダウンを達成すること。【解決手段】パルス発光する発光部と受光部とを備え，通過する原稿に光路が遮られることによって生じるパルス信号の有無に基づいて上記原稿の有無を検知する原稿有無検知センサと，パルス発生装置からのパルス信号によって駆動されるパルスモータとを備えた画像処理装置において，前記パルス発生装置からのパルス信号が，少なくとも原稿の検出動作中は，前記原稿有無検知センサ側で使用され，それ以外の期間は，前記パルスモータ側で使用されるように切換えるパルス信号切換え手段を備えてなる画像処理装置。【選択図】図２
2010010860.tif 000002
【特許請求の範囲】
【請求項１】
パルス発光する発光部と受光部とを備え，通過する原稿に光路が遮られることによって生じるパルス信号の有無に基づいて上記原稿の有無を検知する原稿有無検知センサと，
パルス発生装置からのパルス信号によって駆動されるパルスモータとを備えた画像処理装置において，
前記パルス発生装置からのパルス信号が，少なくとも原稿の検出動作中は，前記原稿有無検知センサ側で使用され，それ以外の期間は，前記パルスモータ側で使用されるように切換えるパルス信号切換え手段を備えてなることを特徴とする画像処理装置。
【請求項２】
前記パルスモータが，原稿搬送用のモータであり，前記パルス信号切換え手段が，パルス発生装置からのパルス信号を，原稿の搬送開始以前には，前記原稿有無検知センサ側で使用し，原稿の搬送開始以後は，原稿搬送用モータ側で使用するように切換えるものである請求項１に記載の画像処理装置。
【請求項３】
原稿の原稿読取位置への送りタイミングを決定するレジストローラと，上記レジストローラよりも原稿搬送方向上流側に設けられた原稿フィードスイッチとを更に備え，
前記パルスモータが，レジストローラ駆動用のモータであり，前記パルス信号切換え手段が，パルス発生装置からのパルス信号を，前記原稿フィードスイッチによって原稿の搬送が検知される以前には，前記原稿有無検知センサ側で使用し，原稿の搬送開始以後は，前記レジストローラ駆動用モータ側で使用するように切換えるものである請求項１に記載の画像処理装置。
【請求項４】
パルス発光する発光部と受光部とを備え，通過する原稿に光路が遮られることによって生じるパルス信号の有無に基づいて上記原稿の有無を検知する第１及び第２の原稿検知センサを備え，
第１の原稿検知センサが，原稿トレイ上の原稿の有無を検知する原稿有無検知センサであり，第２の原稿検知センサが，第２の原稿検知センサが，原稿を搬送しつつ捌くための捌きローラにより送られつつある原稿の長さを検知して原稿の重送の有無を検知する原稿重送検知センサである画像処理装置において，
１つのパルス発生装置からのパルス信号を，少なくとも原稿の検出動作中は，前記原稿有無検知センサ側で使用し，原稿が搬送されつつある時には，前記原稿重送検知センサ側で使用するように前記パルス発生装置からのパルス信号の使途を切換えるパルス信号切換え手段を備えてなることを特徴とする画像処理装置。
【請求項５】
前記原稿重送検知センサが，前記捌きローラより原稿搬送方向下流側に設けられた原稿フィードスイッチよりも更に下流側に設けられている場合に，
パルス信号切換え手段が，１つのパルス発生装置からのパルス信号を，前記原稿フィードスイッチが原稿を検知する以前は，前記原稿有無検知センサ側で使用し，前記原稿フィードスイッチが原稿を検知した以後は，前記原稿重送検知センサ側で使用するように前記パルス発生装置からのパルス信号の使途を切換えるものである請求項４に記載の画像処理装置。
【請求項６】
前記原稿重送検知センサが，前記捌きローラより原稿搬送方向下流側に設けられた原稿フィードスイッチよりも上流側に設けられている場合に，
パルス信号切換え手段が，１つのパルス発生装置からのパルス信号を，前記前記捌きローラを駆動開始以前は，前記原稿有無検知センサ側で使用し，前記前記捌きローラを駆動開始以後は，前記原稿重送検知センサ側で使用するように前記パルス発生装置からのパルス信号の使途を切換えるものである請求項４に記載の画像処理装置。
【請求項７】
前記画像処理装置がスキャナである請求項１〜６に記載の画像処理装置。
【請求項８】
前記画像処理装置が複写機或いはファクシミリ装置である請求項１〜６に記載の画像処理装置。
【発明の詳細な説明】
【技術分野】
【０００１】
本発明は，原稿読取装置を備えた画像処理装置に係り，特に，１つのパルス発生装置を多目的に用いることでコストの低減を図った画像処理装置に関するものである。
【背景技術】
【０００２】
原稿読取装置の一例として，特許文献１に記載された原稿搬送装置がある。この従来公知の原稿搬送装置は，外光にさらされる原稿載置手段上の原稿と対向する位置に発光部および受光部を配置してなる反射型光センサを備えた原稿搬送装置において，上記発光部の点灯・消灯を制御するための駆動パルスによって上記受光部の出力をサンプリングすることでその誤検知を防止する手段と，上記発光部の非駆動時に上記受光部の出力波形を上記サンプリング波形と比較する手段と，を有し，双方の波形が同等であるときは，原稿有りの誤検知がされることを予め自動認識する制御手段を備えたことを特徴とする反射型光センサを備えた原稿搬送装置である。
このような原稿搬送装置では，原稿トレイに載置された原稿と対向する位置に発光部と受光部を持つ反射型原稿有無検知センサを配置し、パルス発生装置からのパルス信号によって上記発光部の点灯／消灯を繰り返すと共に、受光部で反射光を検知し、発光部のパルス信号と受光部の反射光のパルス信号とを比較することにより、原稿の有無を判断するようにしている。
また，上記特許文献１では明らかでないが，原稿を搬送しつつ読み取る上記のような原稿読取装置では，原稿搬送用のモータとしてパルスモータを用いて原稿搬送のタイミングを容易に調整するようにしたものが知られている。
また，原稿読取装置には，原稿の原稿読取位置への送りタイミングを決定するレジストローラが必須であるが，このようなレジストローラを駆動するモータについても，タイミング制御しやすいパルスモータを用いることが多い。
上記のような原稿読取装置では，更に，原稿を搬送しつつ捌くための捌きローラが必須であるが，上記捌きローラによる捌き機能が正常に行われているか否かを検出するために，上記捌きローラにより送られつつある原稿の長さを検知して原稿の重送の有無を検知する原稿重送検知センサ（捌き検知センサ）が設けられていることが多い。
そして上記原稿重送検知センサについても，前記原稿有無検知センサと同様，パルス発生装置からのパルス信号によって上記発光部の点灯／消灯を繰り返すと共に、受光部で反射光を検知し、発光部のパルス信号と受光部の反射光のパルス信号とを比較することにより、原稿の長さを検知し，この検知結果と，前記原稿重送検知センサによって検知された原稿の大きさとを比較することで，原稿の重送の有無を判断するようにしている。
【特許文献１】特開２０００−２９２９９０号公報
【発明の開示】
【発明が解決しようとする課題】
【０００３】
上記のように従来の原稿読取装置では，いろいろな部分にパルス発生装置からのパルス信号を用いて，装置の駆動や物の検知を行っている。従って，１つのパルス発生装置からのパルス信号を用いて複数の装置の駆動や物の検知を行うようにすれば，パルス発生装置の個数を減らすことができ経済的である。しかしながら，１つのパルス発生装置からのパルス信号を同時に複数の対象に用いると誤動作の可能性が高くなり，或いは，不要な動作を生じるといった問題の原因となることが知られており，従来は，１つ１つの装置についてそれぞれパルス発生装置を設けて装置の制御や検知に用いていた。そのため，前記したようにパルス発生装置の数が多くなり不経済であった。
本発明は上記のような事情に鑑み創案されたものであり，原稿読取装置内でパルス信号の使用される機器であっても同時には使用されることのない複数の機器であれば，１つのパルス発生装置からのパルス信号を同時には使用しないので上記のような誤動作といった問題が生じないことに着目し，同時には使用されることのない複数の機器についてパルス発生装置の兼用化を図ることでコストダウンを達成しようとするものである。
【課題を解決するための手段】
【０００４】
上記目的を達成するために，本発明に係る画像処理装置は，
パルス発光する発光部と受光部とを備え，通過する原稿に光路が遮られることによって生じるパルス信号の有無に基づいて上記原稿の有無を検知する原稿有無検知センサと，
パルス発生装置からのパルス信号によって駆動されるパルスモータとを備えた画像処理装置において，
前記パルス発生装置からのパルス信号が，少なくとも原稿の検出動作中は，前記原稿有無検知センサ側で使用され，それ以外の期間は，前記パルスモータ側で使用されるように切換えるパルス信号切換え手段を備えてなることを特徴とする画像処理装置として構成されている。
具体的には，前記パルスモータが，原稿搬送用のモータであり，前記パルス信号切換え手段が，パルス発生装置からのパルス信号を，原稿の搬送開始以前には，前記原稿有無検知センサ側で使用し，原稿の搬送開始以後は，原稿搬送用モータ側で使用するように切換えるものが考えられる。
本発明を，原稿の原稿読取位置への送りタイミングを決定するレジストローラと，上記レジストローラよりも原稿搬送方向上流側に設けられた原稿フィードスイッチとを更に備えてなる画像処理装置の場合には，前記パルスモータが，レジストローラ駆動用のモータであり，前記パルス信号切換え手段が，パルス発生装置からのパルス信号を，前記原稿フィードスイッチによって原稿の搬送が検知される以前には，前記原稿有無検知センサ側で使用し，原稿の搬送開始以後は，前記レジストローラ駆動用モータ側で使用するように切換えるようにしたものが
考えられる。
さらに本発明は，パルス発光する発光部と受光部とを備え，通過する原稿に光路が遮られることによって生じるパルス信号の有無に基づいて上記原稿の有無を検知する第１及び第２の原稿検知センサを備えた画像処理装置については，第１の原稿検知センサが，原稿トレイ上の原稿の有無を検知する原稿有無検知センサであり，第２の原稿検知センサが，第２の原稿検知センサが，原稿を搬送しつつ捌くための捌きローラにより送られつつある原稿の長さを検知して原稿の重送の有無を検知する原稿重送検知センサである場合に，１つのパルス発生装置からのパルス信号を，少なくとも原稿の検出動作中は，前記原稿有無検知センサ側で使用し，原稿が搬送されつつある時には，前記原稿重送検知センサ側で使用するように前記パルス発生装置からのパルス信号の使途を切換えるパルス信号切換え手段を備えてなるものとして構成することが可能である。
この場合の具体例として，前記原稿重送検知センサが，前記捌きローラより原稿搬送方向下流側に設けられた原稿フィードスイッチよりも更に下流側に設けられている場合に，パルス信号切換え手段が，１つのパルス発生装置からのパルス信号を，前記原稿フィードスイッチが原稿を検知する以前は，前記原稿有無検知センサ側で使用し，前記原稿フィードスイッチが原稿を検知した以後は，前記原稿重送検知センサ側で使用するように前記パルス発生装置からのパルス信号の使途を切換えるものが考えられる。
さらに別の例として，前記原稿重送検知センサが，前記捌きローラより原稿搬送方向下流側に設けられた原稿フィードスイッチよりも上流側に設けられている場合に，パルス信号切換え手段が，１つのパルス発生装置からのパルス信号を，前記前記捌きローラを駆動開始以前は，前記原稿有無検知センサ側で使用し，前記前記捌きローラを駆動開始以後は，前記原稿重送検知センサ側で使用するように前記パルス発生装置からのパルス信号の使途を切換えるものも考えられる。
本発明は，スキャナ，複写機或いはファクシミリ装置に適用可能である。
【発明の効果】
【０００５】
本発明によれば，原稿読取装置内でパルス信号の使用される機器であっても同時には使用されることのない複数の機器であれば，１つのパルス発生装置からのパルス信号を同時には使用しないので，パルス発生装置からのパルス信号を同時に複数の対象に使用することによる誤動作といった問題が生じないし，また同時には使用されることのない複数の機器についてパルス発生装置の兼用化を図ることでコストダウンを達成することが可能となる。
【発明を実施するための最良の形態】
【０００６】
以下添付図面を参照しながら，本発明を画像形成装置の原稿読取装置に適用した実施形態について説明する。尚，以下の実施の形態は，本発明を具体化した一例であって，本発明の技術的範囲を限定する性格のものではない。
ここに，図１は，本発明の一実施形態に係る画像形成装置の制御系統全体を示すブロック図，図２は，スキャナ部の構造を示す即断面図，図３〜５は，それぞれパルス発生装置からのパルスを２つの機器で兼用している状態を示すブロック図である。
【０００７】
本発明の実施形態に係る画像形成装置Ｘは，スキャナ機能，プリント機能，コピー機能及びファクシミリ機能を備えたいわゆる複合機であって，原稿読取装置としてスキャナ部６を備えている。
本発明の対象である画像処理装置は，上記のような複合機としての複写機やファクシミリ以外にも，原稿読取りを目的とするスキャナそのものであってもよい。
まず，図１に示すブロック図を参照しつつ，本発明の実施形態に係る画像形成装置Ｘの主要部の構成について説明する。
図１に示すように，画像形成装置Ｘは，メイン制御部１，操作・表示部２，データ記憶部３，画像処理演算部４，ＮＩＣ５，スキャナ部６，プリント部７及びファクシミリ部８等を備え，それらがバス１１を通じて情報の受け渡しが可能な状態で接続されている。
【０００８】
前記操作・表示部２は，情報を入力するための操作部２ａと情報（画像を含む）を表示する表示部２ｂとを備えるものである。その操作部２ａは，例えば，液晶表示装置の表面に設けられたタッチパネルやシートキー等である。また，前記表示部２ｂは，例えば，液晶表示装置である。この操作・表示部２により，利用者に対するマンマシンインターフェースが構成されている。
前記データ記憶部３は，原稿から読み取って得られた画像データの処理や，画像データのプリント処理等の際に，必要に応じてその処理データを記憶する読み書き自在な大容量の不揮発メモリである。
【０００９】
前記画像処理演算部４は，専用の信号処理回路或いはＤＳＰ（Digital Signal Processor）等により構成され，画像データについて各種画像処理を行い，所定の印刷ジョブ記述言語で記述された印刷ジョブを画像形成に用いるビットマップ画像データに変換する処理や，外部装置へ送信する画像データ（例えば，ＪＰＥＧ形式等の所定の符号化がなされた画像データ等）の生成処理等を行うものである。
【００１０】
前記ＮＩＣ５は，例えば標準規格ＩＥＥＥ８０２．３に準拠したＬＡＮ及びインターネット等からなるネットワークを通じて，情報処理端末や電子メールサーバ等の外部装置との間でデータ（スキャナ部６による読み取り画像のデータを含む）の送受信を行う通信インターフェースである。
前記スキャナ部６は，不図示のガラス製の原稿台上に載置された原稿や，不図示のＡＤＦにより搬送される原稿から，その原稿に形成された画像をそのカラー（Ｒ，Ｇ，Ｂ）を区別して読み取るカラースキャナである。
本発明の対象技術である上記スキャナ部６については，追って詳述する。
【００１１】
前記プリント部７は，前記メイン制御部１によって制御されるいわゆるプリントエンジンであり，不図示の給紙カセットに収容された記録紙を１枚ずつ順次送り出し，所定の画像形成位置を経て排紙トレイまで搬送するとともに，その画像形成位置において，前記スキャナ部６により原稿から読み取られた原稿の画像データや，画像処理演算部４により生成された印刷用の画像データ等に基づいて，記録紙（記録材の一例）に画像を形成（出力）する機器及びその機器を制御するＭＰＵ等の部品の集合である。また，プリント部７は，記録紙のおもて面とうら面との両方に画像形成を行う両面印刷処理を実行する機能を備えている。
前記ファクシミリ部８は，ＮＣＵ（Network Control Unit）やモデム等の通信手段を備え，ダイヤルアップや通信相手（相手局）との間で通信方法を決定するネゴシエーション処理等を行い，電話回線を通じて他のファクシミリ装置とファクシミリデータ（スキャナ部６による読み取り画像データ）の送受信を行うものである。
【００１２】
前記メイン制御部１は，前記スキャナ部６，前記プリント部７，前記ファクシミリ部８，前記操作・表示部２，前記データ記憶部３及び前記画像処理演算部４の各々を制御するものである。
例えば，メイン制御部１は，プリント部７に，ＮＩＣ５を通じて受信される印刷ジョブに基づく印刷処理（画像形成処理）を実行させる。また，メイン制御部１は，ファクシミリ部８に，指定された送信先の電話番号を発呼して送信対象となる画像データを送信するファクシミリ送信処理を実行させる。さらに，メイン制御部１は，スキャナ部６に，原稿からその原稿に形成された画像を読み取るスキャン処理を実行させる。
また，メイン制御部１は，前記スキャナ部６により原稿から読み取った１ページ分又は複数ページ分の画像（以下，ページ画像という）に関する印刷用データ（画像データや印刷ジョブデータなど）に基づいて，そのページ画像を記録紙に出力（画像形成）したときのイメージ画像（プレビュー画像）を，前記表示部２ｂに表示させる印刷プレビュー処理も実行する。
【００１３】
続いて，前記スキャナ部６の構造及び作用について図２を参照して詳しく説明する。
全体を符号６で示す原稿読取装置であるスキャナ部６は，原稿Ｄを載置する原稿トレイ１０と，この原稿トレイ１０の下方に設けられた原稿排出トレイ１２と，原稿トレイ１０上の原稿をＵターン状の搬送経路を通って上記原稿排出トレイ１２に搬送する複数のローラを備えた搬送部１４とを備えて概略構成されている。
このスキャナ部６は，大小２種類の原稿に対応することを前提としたものであり，原稿トレイ１０上には，大きいサイズの原稿Ｄの後端部を検出する発光部と受光部からなる光学的な反射型の原稿有無検知センサ１６が設けられている。このように原稿有無検知センサ１６は大サイズの原稿Ｄがある時に受光あり（ＯＮ）の状態を検知するためのものであるので，小サイズの原稿が原稿トレイ上に載置された場合には，受光なし（ＯＦＦ）の状態を検出する。即ち，上記原稿有無検知センサ１６からの信号を受ける前記メイン制御部１は，上記原稿有無検知センサ１６からの受光有り（ＯＮ）の信号を受信した場合には，大サイズの原稿が原稿トレイ１０上に供給され，上記原稿有無検知センサ１６からの受光なし（ＯＦＦ）の信号を受信した場合には，小サイズの原稿が供給されているものと判断する。
尚，上記原稿有無検知センサ１６は，室内に露出しており，受光部が室内の蛍光灯などの外乱によって誤動作することを防止するために，発光部から所定周波数のパルス光を発するようにし，発光部からのパルス光と受光部で受光したパルス光とのパターンの一致を検出したときにのみ原稿有り（ＯＮ）と判断するように構成されている。
【００１４】
前記原稿Ｄを原稿トレイ１０から原稿排出トレイ１２に搬送する前記搬送部１４は，次のように構成されている。
即ち，前記原稿トレイ１０の出口部には，これと接する最上層の原稿を送り出す送り出しローラ１８が設けられ，前記図１に示した操作・表示部２に設けられたスタートキーが押されることにより回転し，原稿の送りを開始する。
この送り出しローラ１８は，本発明における原稿搬送用のモータにより駆動されるものであり，このような原稿搬送用のモータは，回転速度を容易に制御できるようにするため，パルス発生装置からのパルス信号によって回転するパルスモータにより構成されている。
【００１５】
上記送り出しローラ１８の原稿送り方向下流側には，一対の捌きローラ２０が設けられている。捌きローラ２０は，下方のローラが固定（或いは，原稿を逆行させる方向にゆっくり回転するもの）であると共に上方のローラが回転し，しかも若干の隙間を介して上下に対向しており，その間を原稿が通過する時，２枚以上の原稿が挟まれると，下部の固定ローラに接する原稿には固定ローラとの接触によるブレーキが作用し，且つ上部の回転ローラに接する原稿には搬送力が作用するので，最上層の原稿のみが送り出されて重なった原稿が捌かれるものである。従って，捌きローラ２０の上部側の回転ローラは，前記送り出しローラ１８の回転と同時に回転を開始し，所定時間回転を維持した後に回転を停止するように制御される。
【００１６】
上記捌きローラ２０の原稿送り方向下流側には，更に一対のレジストローラ２２が設けられている。レジストローラ２２は，前記プリント部７による画像形成動作に連動して原稿を後記する原稿読取位置３６に搬送するタイミングを調整するためのもので，上記画像形成動作に連動するタイミングで回転を開始するべく，原稿Ｄが前記捌きローラ２０によって送り出されてレジストローラ２２に差し込まれた時点では停止しており，上記画像形成動作に連動するタイミングで回転を開始して，原稿を原稿読取位置３６へ搬送する。
このレジストローラ１８は，本発明におけるレジストローラ駆動用のモータにより駆動されるものであり，このようなレジストローラ駆動用のモータは，回転速度を正確に制御できるようにするため，パルス発生装置からのパルス信号によって回転するパルスモータにより構成されている。
【００１７】
前記送り出しローラ１８と前記捌きローラ２０との間には，送り出しローラ１８によって送り出される原稿を検知して紙詰りの有無を検知するフィードスイッチ２４が設けられ，このフィードスイッチ２４とレジストローラ２２の間には，更に前記捌きローラ２０による捌き機能が正しく行われているか否かを検知するための光学的な捌き検知センサ（原稿重送検知センサの一例）２８が設けられている。
前記捌き検知センサ２８についても，前記原稿有無検知センサ１６と同様，室内に露出しており，受光部が室内の蛍光灯などの外乱によって誤動作することを防止するために，発光部から所定周波数のパルス光を発するようにし，発光部からのパルス光と受光部で受光したパルス光とのパターンの一致を検出したときにのみ原稿有り（原稿通過状態）と判断し，原稿通過時間をパルス数をカウントすることで演算して，捌きが正常に行われているか否かを判断するように構成されている。
【００１８】
このスキャナ部６では，原稿の搬送路が占める面積を小さく抑制するために，原稿ＤをＵターンさせて搬送するためのＵターンローラ２６が前記レジストローラ２２の原稿搬送方向下流部に設けられている。
上記Ｕターンローラ２６の周囲にはＵターンローラ２６と同じ周速で回転する複数の搬送用ローラ３０，３０，…が設けられ，前記レジストローラ２２から送り出された原稿ＤをＵターンローラ２６の周囲に約１８０度分巻き付けてＵターンさせて，原稿Ｄの向きを原稿排出トレイ１２の方向に指向させる。
【００１９】
前記Ｕターンローラ２６の直下には，若干の隙間をあけて上記Ｕターンローラ２６の長手方向に長いコンタクトガラス３２と更にその下方のＣＣＤ等よりなる原稿読取センサ３４が設けられている。従って，上記原稿読取センサ３４の光軸が前記Ｕターンローラ２６の周面と交差する位置が前記原稿読取位置３６である。
【００２０】
なお，レジストローラ２２の原稿搬送方向下流側の所定位置には，原稿Ｄの先端についての厳密な搬送タイミングを検出するためのレジストスイッチ３８が設けられていると共に，上記読取位置３６の上流側には読取り前タイミングを検出する読取前タイミングスイッチ４６が，さらに原稿Ｄの排出トレイ１２への排出を行う排出ローラ４０と前記Ｕターンローラ２６との間には，原稿の裏面情報を読み取るＣＩＳ４２及びＣＩＳ前タイミングを検知するスイッチ４４が設けられているが，これらは本発明とは直接関係ないので説明を省略する。
【００２１】
以上のように，この実施形態に係るスキャナ部６では，多数の部分にパルス発生装置からのパルス信号を用いて，装置の駆動や物の検知を行っている。従って，１つのパルス発生装置からのパルス信号を用いて複数の装置の駆動や物の検知を行うようにすれば，パルス発生装置の個数を減らすことができ経済的である。しかしながら，１つのパルス発生装置からのパルス信号を同時に複数の対象に用いると誤動作の可能性が高くなり，或いは，不要な動作を生じるといった問題の原因となることが知られており，従来は，１つ１つの装置についてそれぞれパルス発生装置を設けて装置の制御や検知に用いていたので，前記したようにパルス発生装置の数が多くなり不経済であった。
この実施形態では上記のような事情に鑑み，原稿読取装置内でパルス信号の使用される機器であっても同時には使用されることのない複数の機器であれば，１つのパルス発生装置からのパルス信号を同時には使用しないので上記のような誤動作といった問題が生じないことに着目し，同時には使用されることのない複数の機器についてパルス発生装置の兼用化を図ることでコストダウンを達成しようとするものである。
【００２２】
図３は，このような本発明の基本概念を示すブロック図である。
図３示すように，前記メイン制御部１に設けられた（或いはメイン制御部１の外部に設けられた）パルス発生装置５２からの出力経路に切換えスイッチ５０（パルス信号切換え手段の一例）が設けられており，この切換えスイッチ５０を切換えることによって，切換えスイッチ５０を介してメイン制御部１に接続された原稿有無検知センサ１６の発光部端子５４にパルス発生装置からのパルス信号が伝達される状態と，パルス信号によって駆動される他のデバイスＹにパルス信号が伝達される状態とを切換えることができる。
この時，上記他のデバイスＹが，原稿有無検知センサ１６による原稿検知時点でない時に駆動されるものであれば，前記１つのパルス発生装置５２からのパルス信号を，上記原稿有無検知センサ１６に使ったり，デバイスＹに使ったりする状態を繰り返しても，前記のような誤動作といった問題が生じないので，パルス発生装置５２の兼用化によるコストダウンを可能とすることができる。
次に，図４を用いて，パルス発生装置５２からのパルス信号を，上記原稿有無検知センサ１６と，前記原稿搬送用のモータとで兼用する場合の実施形態について説明する。即ち，この場合，図３における他のデバイスが，原稿搬送用のモータの場合である。
【００２３】
この場合，原稿有無検知センサ１６は，原稿Ｄがまだ原稿トレイ１０上に載置されている状態で原稿検知を行うものであり，一方，送り出しローラ１８を駆動するための原稿搬送用のモータは，原稿Ｄが原稿トレイ１０から送り出される時に駆動されるものであるから，両者は同時には使用されることがないので，パルス信号の兼用化が可能である。
この場合，前記パルス信号の切換えスイッチ５０が，パルス発生装置からのパルス信号を，原稿Ｄの搬送開始以前には，前記原稿有無検知センサ１６側で使用し，原稿Ｄの搬送開始以後は，パルスモータからなる原稿搬送用モータ側で使用するように切換えるものである。この切換え指示は，メイン制御部１によって行われる。具体的なタイミングとしては，メイン制御部１によって送り出しローラ１８の回転が開始されるまではパルス信号を原稿有無検知センサ１６側に送るように，また送り出しローラ１８の回転が開始された後は，送り出しローラ１８を駆動するパルスモータ側に送るように切換えるものが考えられる。
【００２４】
同様の原稿有無検知センサ１６と他のパルスモータとのパルス信号の兼用化の例として，原稿有無検知センサ１６と前記レジストローラ２２を駆動するパルスモータとでパルス信号を兼用化することが考えられる。
この場合，レジストローラ２２が駆動される直前までパルス信号を原稿有無検知センサ１６側で使用するようにした例が具体的に考えられる。
即ち，前記パルス発生装置５２（図５）から送られるパルス信号を，原稿フィードスイッチ２４（図２）によって原稿の搬送が検知される以前には，前記原稿有無検知センサ１６側で使用し，原稿の搬送開始以後，即ち，原稿フィードスイッチ２４によって原稿の搬送が検知された後は，前記レジストローラ駆動用モータ側で使用するように切換えるものが考えられる。
【００２５】
上の実施形態では，図３に示した他のデバイスＹがパルスモータの場合であったが，本発明はこのような場合に限定されることはない。例えば，他のデバイスＹが原稿有無検知センサ１６の使用時期とは別の時期に用いられる他のセンサであってもよい。図５はそのような一例を示すものであり，他のデバイスＹとして重送検知センサの一例である前記捌き検知センサ２８を用いる場合である。
この場合，一般的には，前記パルス発生装置５２からのパルス信号を，少なくとも原稿トレイ１０上における原稿の検出動作中は，前記原稿有無検知センサ１６（第１の原稿検知センサの一例）側で使用し，原稿が搬送されつつある時には，前記捌き検知センサ２８（第２の原稿検知センサの一例）側で使用するように，メイン制御部１の指令によって，切換えスイッチ５０が，前記パルス発生装置５２からのパルス信号の経路を切換える。
切換えの時期として，前記捌き検知センサ２８が，前記捌きローラ２０より原稿搬送方向下流側に設けられた原稿フィードスイッチ２４よりも更に下流側に設けられている場合には，切換えスイッチ５０が，原稿フィードスイッチ２４が原稿を検知する以前は，前記原稿有無検知センサ１６側で使用し，前記原稿フィードスイッチ２４が原稿を検知した後は，前記捌き検知センサ２８側で使用するように前記パルス発生装置５２からのパルス信号の経路を切換えるものが考えられる。
【００２６】
また，別の例としては，前記捌き検知センサ２８が，前記捌きローラ２０より原稿搬送方向下流側に設けられた原稿フィードスイッチ２４よりも上流側に設けられている場合に，切換えスイッチ５０が，パルス発生装置５２からのパルス信号を，前記前記捌きローラ２０のメイン制御部１により決定される駆動開始時点以前には，前記原稿有無検知センサ１６側で使用し，前記前記捌きローラ２０の駆動開始時点以後は，前記捌き検知センサ２８側で使用するように前記パルス発生装置５２からのパルス信号の使途を切換えるものが考えられる。
【００２７】
これらいずれの場合にも，パルス発生装置５２からのパルス信号が，異なる複数の機器で兼用されるので，パルス発生装置の数を従来より減らすことができ，画像形成装置全体のコストダウンに成功しうるものである。
【産業上の利用可能性】
【００２８】
本発明は，原稿読取装置を備えた画像形成装置や原稿読取装置そのもの（スキャナ）に利用可能である。
【図面の簡単な説明】
【００２９】
【図１】本発明の一実施形態に係る画像形成装置の制御系統全体を示すブロック図。
【図２】スキャナ部の構造を示す即断面図。
【図３】パルス発生装置からのパルスを２つの機器で兼用している状態を示すブロック図。
【図４】パルス発生装置からのパルスを２つの機器で兼用している状態を示すブロック図。
【図５】パルス発生装置からのパルスを２つの機器で兼用している状態を示すブロック図。
【符号の説明】
【００３０】
Ｘ  ：画像形成装置
１  ：メイン制御部
６  ：原稿読取装置
１０  ：原稿トレイ
１２  ：原稿排出トレイ
１６  ：原稿有無検知センサ
１８  ：送り出しローラ
２０  ：捌きローラ
２２  ：レジストローラ
２４  ：フィードスイッチ
２６  ：Ｕターンローラ
２８  ：捌き検知センサ（原稿重送検知センサ）
３４  ：原稿読取センサ
３６  ：原稿読取位置
３８  ：レジストスイッチ
【図１】
2010010860.tif 000003
【図２】
2010010860.tif 000004
【図３】
2010010860.tif 000005
【図４】
2010010860.tif 000006
【図５】
2010010860.tif 000007